(57)【要約】【課題】着用したときの肌触りが良好であって、踵部分の保湿性が高く、かつ、製造コストが低いパンティストッキングを提供する。【解決手段】このパンティストッキング１は、腹部および臀部を被覆するパンティ部３と、脚部を被覆するレッグ部２と、足部を被覆するフット部５とを備え、フット部５の踵部分にウレタン素材の非通気性シート６が接着されている。この非通気性シート６は、スクリーン印刷により剥離紙にウレタン樹脂を転写した上に糊層を転写することにより製造され、フット部５の踵部分の肌側に糊層の熱融着性接着剤により接着されている。【選択図】図１
2015048557.tif 000002
【特許請求の範囲】
【請求項１】
少なくともフット部を備え、ナイロン糸から編成された伸縮性編地またはナイロン糸とポリウレタン糸とから編成された伸縮性編地により形成された下半身用衣類であって、
前記フット部の踵部分にウレタン素材の非通気性シートが接着されていることを特徴とする下半身用衣類。
【請求項２】
前記非通気性シートは、剥離層となる紙に、スクリーン印刷により、ウレタン樹脂からなる非通気層を転写し、前記非通気層の上に前記ウレタン樹脂とは別組成のウレタン樹脂からなる糊層を転写したシートであることを特徴とする、請求項１に記載の下半身用衣類。
【請求項３】
前記糊層のウレタン樹脂は熱融着性を備え、
前記剥離層を剥離しないで熱セットして、前記非通気層が肌に当接するように前記フット部に接着したことを特徴とする、請求項２に記載の下半身用衣類。
【発明の詳細な説明】
【技術分野】
【０００１】
本発明は、下半身用衣類である、フット部とレッグ部とを備えたストッキング、さらにパンティ部を備えたパンティストッキングまたはタイツ等に関し、特に、少なくともフット部を備えた下半身用衣類であって、踵部の保湿性の高い下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うストッキングは、外出時における女性の脚部の保護さらには脚線美の向上の観点等から、広く世間に浸透している。
現在市販されているほとんどのストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。太さの異なる２種類の糸を使用するため横縞模様が表れる。
ゾッキ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編組織が解編されたはしご状の線）が発生しにくいという特徴を備えたゾッキ編みのストッキングが、最近では増えてきている。
【０００４】
このようにストッキングは、ナイロン糸から編成された伸縮性編地またはナイロン糸とポリウレタン糸とから編成された伸縮性編地により形成されるので通気性がよく肌が乾燥しやすい。一方、踵部分は角質化しやすく、乾燥によるひび割れが生じやすい。このため、従来のストッキングでは、踵部分の乾燥を防止することができない。
このような問題点に関連して、踵部分からの水分の発散を防止し、保湿性を向上させた踵保湿用靴下が提案されている。たとえば、特開２００５−１１３２９０号公報（特許文献１）は、靴下の踵部分の生地の内側に、スチレン系エラストマーシートからなる非通気性部材が熱接着された踵保湿用靴下を開示する。
【０００５】
この踵保湿用靴下によると、空気の流入を遮断して保湿性を著しく高め、踵のかさつき、ひび割れなどの乾燥による肌荒れや角質化の発生を防止し得る。また、この踵保湿用靴下によると、肌への密着性が高く、ごわつき感など違和感が生じない、使用性が極めて良好である。
【先行技術文献】
【特許文献】
【０００６】
【特許文献１】特開２００５−１１３２９０号公報
【発明の概要】
【発明が解決しようとする課題】
【０００７】
ところで、最近ではミニスカートが若い女性の間に定着し、冬季でもスカート類および／またはブーツとパンティーストッキングまたはタイツとをコーディネイトするレッグファッションが注目されている。ユーザは、このようなファッション指向を重視して下半身用衣類（パンティストッキング、ストッキング、タイツ等）を選択するとともに、冬季の乾燥肌に密着する下半身用衣類の保湿性も大きな選択基準としている傾向もある。
【０００８】
一方、特許文献１に開示された踵保湿用靴下は、踵保湿用靴下の踵部およびその近傍を包み込む範囲の編地の内側に非通気性部材が接着されている。この場合において、踵保湿用靴下と非通気性部材とは、踵部分の膨出に合わせた木型を作り、これに靴下を被嵌し、それに見合う形状にへこんだ熱プレス板で熱プレス（１４０℃、２０秒）させて接着している。さらに、非通気性部材に使用したスチレン系エラストマーシートは、長径８ｃｍ、
短径６ｃｍの楕円形状であり、短径に沿って、略扇形状の切れ込みを有する、ポリスチレン−ポリエチレン／ブチレン−ポリスチレンブロック共重合体からなる厚さ１ｍｍのシートである。
【０００９】
この踵保湿用靴下に接着されたスチレン系エラストマーシートをパンティストッキング、ストッキング、タイツ等の下半身用衣類へ適用した場合、踵部分の膨出に合わせた木型を作り、これにストッキングを被嵌し、それに見合う形状にへこんだ熱プレス板で熱プレスさせてスチレン系エラストマーシートをストッキングの内側へ接着することになる。
しかしながら、ナイロン糸から編成またはナイロン糸とポリウレタン糸とから編成された伸縮性編地により形成されているストッキングとスチレン系エラストマーシートとの伸張度合いが異なるために、このように木型にストッキングを被嵌してスチレン系エラストマーシートを接着するのでは、木型から抜いた場合に伸縮性編地が縮む度合いとスチレン系エラストマーシートが縮む度合いと大きく異なるために、木型から外すと接着したスチレン系エラストマーシートが皺になったり外れてしまったりする可能性がある。スチレン系エラストマーシートが皺になった場合には肌触りが良好なストッキングを実現することができず、スチレン系エラストマーシートが外れてしまった場合には踵の保湿性を実現することができない。また、上記のように木型にストッキングを被嵌してスチレン系エラストマーシートを接着するのでは、製造工数が多く製造コストが高い。
【００１０】
本発明は、従来技術の上述の問題点に鑑みて開発されたものであり、その目的とするところは、着用したときの肌触りが良好であって、踵部分の保湿性が高く、かつ、製造コストを低下することのできる下半身用衣類を提供することを目的とする。
【課題を解決するための手段】
【００１１】
上記目的を達成するため、本発明に係る下半身用衣類は以下の技術的手段を講じている。
すなわち、本発明に係る下半身用衣類は、少なくともフット部を備え、ナイロン糸から編成された伸縮性編地またはナイロン糸とポリウレタン糸とから編成された伸縮性編地により形成された下半身用衣類であって、前記フット部の踵部分にウレタン素材の非通気性シートが接着されていることを特徴とする。
【００１２】
好ましくは、前記非通気性シートは、剥離層となる紙に、スクリーン印刷により、ウレタン樹脂からなる非通気層を転写し、前記非通気層の上に前記ウレタン樹脂とは別組成のウレタン樹脂からなる糊層を転写したシートであるように構成することができる。
さらに好ましくは、前記糊層のウレタン樹脂は熱融着性を備え、前記剥離層を剥離しないで熱セットして、前記非通気層が肌に当接するように前記フット部に接着するように構成することができる。
【発明の効果】
【００１３】
本発明の下半身用衣類によれば、着用したときの肌触りが良好であって、踵部分の保湿性が高く、かつ、製造コストを低下することができる。
【図面の簡単な説明】
【００１４】
【図１】本発明の実施の形態に係るパンティストッキングの概略背面図である。
【図２】図１のパンティストッキングを着用した状態を示す図である。
【図３】スクリーン印刷により製造された非通気性シートの平面図である。
【図４】図３のＡ−Ａ断面図である。
【図５】図４のＢ部拡大図である。
【発明を実施するための形態】
【００１５】
以下、本発明の実施の形態に係るパンティストッキング１を、図面に基づき詳しく説明する。
図１に、本実施の形態に係るパンティストッキング１の概略背面図を示す。図２に、このパンティストッキング１を着用した状態を示す。図１は背面図であるので、フット部５は足甲側ではなく足裏側が示されている。このパンティストッキング１は、通常のパンティストッキング等の下半身用衣類と同じく、腹部および臀部を被覆するパンティ部３と、脚部を被覆するレッグ部２と、足部を被覆するフット部５とを備えるものである。このパ
ンティストッキング１は、筒状に編成された１対の編地を用い、パンティ部３に相当する部分に切れ目を入れて裁断縁どうしをつき合わせて股部４を縫着して一体化することにより製造される。また、フット部５の爪先部５２は周知の手段により、袋状に編成することにより製造される。
【００１６】
なお、本実施の形態に係る下半身用衣類をパンティストッキングとしているが、本発明は少なくともフット部を備えるストッキング、ショートストッキング、タイツ、靴下等の下半身用衣類を含むことは上述した通りである。
このパンティストッキング１は、ナイロン糸と、サポート糸（ポリウレタン糸にナイロン糸を巻き付けたカバリング糸）を交互に使用して編成した交編編みであっても、ポリウレタン弾性糸を芯糸としてナイロン糸を巻き付けたカバリング糸の１種類のみで編成したゾッキ編みであっても、構わない。
【００１７】
なお、上述した以外にもパンティストッキングの構造には様々なものがあり、本発明は特定の構造に限定されるものではなく、後述する特徴（フット部５の踵部分に接着されたウレタン素材の非通気性シート６）を備えたものであれば、どのようなパンティストッキングの構造であっても、パンティストッキングを構成する生地の種類、生地の型紙およびその縫製がどのようなものであっても構わない。そのため、本実施の形態に係るパンティストッキング１において、特徴以外の構造自体は単なる例示でしかない。
【００１８】
図１および図２に示すように、このパンティストッキング１は、そのフット部５の踵部分にウレタン素材の非通気性シート６が接着されていることを特徴とする。
これらの図に示すように、この非通気性シート６は略楕円形状の薄いシートで形成されており、この非通気性シート６は、フット部５の踵部分の肌側（履物着用時に履物の内底（靴内底）に当接する側とは逆側）に熱融着性の接着剤で接着されている。この非通気性シート６は、スクリーン印刷により製造されることを特徴とする。以下に、この非通気性シート６の詳細な構造およびスクリーン印刷による製造方法について説明する。なお、この非通気性シート６は、フット部５の踵部分の表側（靴内底に当接する側）に熱融着性の接着剤で接着されているものでも構わない。
【００１９】
図３にこの非通気性シート６の平面図を、図４に図３のＡ−Ａ断面図を、図５に図４のＢ部拡大図をそれぞれ示す。この非通気性シート６は、パンティストッキング１のフット部５の踵部分に接着された後は、剥離紙６４が剥離されて、ウレタン素材の熱融着性接着材からなる糊層６２と非通気性のウレタン樹脂からなる非通気層６０とから構成されて、糊層６２の熱融着性接着材によりフット部５の踵部分に非通気層６０が接着されている。この非通気層６０は、無色透明であることが好ましいが、完全に透明なものに限定されるものではない。
【００２０】
なお、図４および図５に示す、非通気層６０の厚み、糊層６２の厚みおよび剥離紙６４の厚みは、模式的なものであって、現実の厚みに比例したものではない。
この非通気性シート６がスクリーン印刷により製造される場合には、剥離層となる剥離紙６４に、スクリーン印刷によりウレタン樹脂からなる非通気層６０を転写して、さらに、スクリーン印刷により非通気層６０の上に（非通気層６０のウレタン樹脂とは別組成の）ウレタン樹脂からなる糊層６２を転写する。これにより、剥離紙６４の上にスクリーン印刷により転写された非通気層６０および糊層６２が形成されたシート（製造中間物）が製造される。なお、現実のスクリーン印刷においては、１枚の剥離紙６４に片足分の非通気性シート６（非通気層６０、糊層６２）がスクリーン転写されているのではなく、大きな１枚の剥離紙に多くの非通気性シート６がスクリーン転写され、図３に示した大きさの剥離紙６４（すなわち片足分の非通気性シート６毎に）に切断される。
【００２１】
この製造中間物であるシートの剥離紙６４を剥離しないで、パンティストッキング１のフット部５の踵部分に非通気層６０が肌に当接するように押し当てて（すなわちパンティストッキング１を裏返しにして糊層６２側をパンティストッキング１に押し当てて）、剥離紙６４の上から熱セットすることにより糊層６２の熱融着性接着材を融着させて、非通気層６０をフット部５に接着する。そして、熱セットした後に、剥離紙６４を剥離する。この場合において、剥離紙６４を熱セットの温度条件に対して耐熱性のある素材としてい
る。また、この剥離紙６４を透明な素材として、糊層６２の熱融着性接着材も透明な素材とすると、パンティストッキング１のフット部５の踵部分に対する非通気層６０の位置決めが容易になる点で好ましい。
【００２２】
さらに、糊層６２の熱融着性接着材も透明な素材とした場合には、非通気層６０も糊層６２も透明であるので、パンティストッキング１のフット部５の踵部に接着された非通気性シート６が目立たない点で好ましい。また、非通気層６０も糊層６２もこのパンティストッキング１のフット部５を編成する合成繊維と同じ色（または同じような色）とした場合には、パンティストッキング１のフット部５に接着された非通気性シート６が目立たない点で好ましい。
【００２３】
ここで、スクリーン転写される非通気層６０は、ウレタン樹脂水性エマルジョンと、エチレングリコール、界面活性剤、水およびアンモニア等の配合物との混合物であって、この非通気層６０のさらに上にスクリーン転写される糊層６２は、この非通気層６０の混合物とは組成の異なる熱融着性のウレタン樹脂である。
また、このようにスクリーン印刷を用いることにより、他の印刷方式に比較して、非通気層６０および糊層６２を厚膜に形成することができ、十分な非通気性を実現することができる。
【００２４】
以上のようにして、本実施の形態に係るパンティストッキングによると、そのフット部の踵部分にウレタン素材の非通気性シートが接着されているので、乾燥しないので着用したときの肌触りが良好であって踵部分の保湿性が高い。さらに、剥離紙の上にスクリーン印刷により転写された非通気性の非通気層および熱融着性の糊層からなるシートを熱セットして非通気層を接着した後に剥離紙を剥離するので製造コストを低下することができる。
【００２５】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２６】
本発明は、着用したときの肌触りが良好であって、踵部分の保湿性が高く、かつ、製造コストを低下することのできる下半身用衣類に好適であり、特に、フット部を備えたパンティストッキング等の下半身用衣類に特に好適である。
【符号の説明】
【００２７】
１    パンティストッキング
２    レッグ部
３    パンティ部
４    股部
５    フット部
５２  爪先部
６    非通気性シート
６０  非通気層
６２  糊層
６４  剥離紙
【図１】
2015048557.tif 000003
【図２】
2015048557.tif 000004
【図３】
2015048557.tif 000005
【図４】
2015048557.tif 000006
【図５】
2015048557.tif 000007